(57)【要約】【課題】現状の種子の提供は家庭園芸や家庭菜園では過剰量の場合が多く、播種してから発芽後の間引き、植栽場所へ移植する作業を伴う。また移植の際、壁に掛ける、吊るす場合には更に専用の容器や資材を必要するとする。これらの一連の作業、工程を簡易形状の本発明により解決することを課題とする。【解決手段】本発明の種子形状により、播種から育成までの一連作業を栽培用度部へ差し込む作業にて完成する。植物を必要な角度、部位に自在に形成、保持可能な差込口を有する栽培容器が提供する機能により平面、立面、斜面、壁面緑化、ハンギングバスケットとして育成された植物の提供と其々の機能や用途の完成を実現可能として課題を解決する。【選択図】図１
2009142232.tif 000002
【特許請求の範囲】
【請求項１】
吸水性、保水性に富んだ素材で栽培用土部へ自在に差し込み可能な形状であり、先端に種子の保持部位を有して吸水性、保湿性のある覆土機能を有する素材で覆い、末端には肥料の取り付け部位を有して播種から植物の育成までの一連の工程を完成することを特長として、保存、携帯が可能であり、自在な部位や角度に差し込み口の形成、配置を可能とする専用栽培容器に差し込み可能な形状の種子を差し込むことにより、播種から植物の育成仕立てを完成して平面、立面、斜面使い、壁面緑化、ハンギングバスケットとしての機能や用途の提供を実現可能とする差込可能な種子の提供形状及び差し込み自在な部位を有する専用栽培容器。
【請求項２】
前記記載の差し込み可能な種子の提供形状は単体使いが可能で、差し込み可能な種子の提供形状によれば、直接地表、立面、斜面、壁面から植栽を必要とする栽培容器用土部に自在な角度や部位に差し込みを可能として、植物の播種から育成までの一連の工程を簡易に完成する。
【請求項３】
請求項１の専用栽培容器は排水性、通気性に優れた材質や素材で形成され、栽培容器と外部接面は防湿素材或いは防水素材で形成され更に延長して底部に貯水可能な底面灌水層を形成する栽培容器であることを特長として、更に壁掛けや吊るす機能を付帯可能とする栽培容器で単体使いが可能であり、あらゆる植物種子の播種から育成、育成した苗の移植や植栽を可能として、自在な角度や部位に差し込み口を形成、配置することが可能である特長により平面、立面、斜面使い、壁面緑化、ハンギングバスケットとしての機能と用途の実現を可能とする。
【発明の詳細な説明】
【技術分野】
【０００１】
本発明は園芸の分野が提供する植物の種子を本発明の種子提供形状とすることで、藩種から育成までを栽培用土に差し込む作業にて完成することを特長として、栽培用器や植栽場所等植物を必要とする部位や角度に自在に植物の播種から育成までの一連の工程を完成して実現する。
【０００２】
差し込み可能な種子の提供形状を自在な差し込み部位を有する専用栽培容器と共に提供することにより、播種から育成した植物を専用栽培容器が形成、配置する差込口の角度や部位、数量に育成仕立てることにより平面、立面、斜面及び壁面緑化、ハンギングバスケットとしての機能や用途使いを完成させるものである。
【背景技術】
【０００３】
本発明は園芸や家庭菜園に於いて植物の種子が特に小粒な粒子は一袋に数十粒から百という単位で提供され、発芽後には植物を間引いて植え替えをして更に植栽場所に移植するという作業を伴う現状にあって、必要量の提供でかつ簡易に播種から育成までの一連作業を栽培用用土に差し込む作業にて完成する新たな種子形状として提供することを特長とする。この種子形状を単体使いに於いては庭や畑、栽培用コンテナや鉢など栽培溶器の植物を必要とする場所や角度、部位及び数量を平面、立面、斜面、ハンギングバスケットや壁面緑化等、自在に提供することを可能とする。また差込自在な部位を有する専用の栽培容器が形成、配置する角度や部位へ差し込み可能な種子を差し込むことにより、植物の育成と共に平面、立面、斜面への緑化を始め、壁面緑化やハンギングバスケットとしての機能と用途の完成を実現可能とする特長をもつ。
【特許文献１】特願2004-129614
【特許文献２】特願2004-296073
【発明の開示】
【発明が解決しようとする課題】
【０００４】
現状の園芸分野や種苗提供分野では、特許文献１や特許文献２のように種子の未発芽や不揃い、長期安定の方法等を解決することに着目した発芽の改善法の提供が盛んである。
【０００５】
現状での種子の提供は特に小粒の粒子では数量が多すぎる場合が多く、均一に播種することが難しい。また発芽後に間引き採取して新しい栽培用容器に植え替え、更に必要場所に移植するという作業が一般的である。このため園芸店で苗を必要本数購入して植栽することが多いのが現状である。
【０００６】
園芸店で苗を購入してコンテナや栽培容器、庭や畑などに植栽する場合、育成用容器ポットは不要物となり、壁面やハンギングバスケットのような吊るし形状に植物が欲しい場合には更に専用の容器や資材の購入を必要とするのが現状であり、その植栽方法は専門的な知識を必要とする。
【課題を解決するための手段】
【０００７】
必要量での提供が可能でかつ簡易な播種方法により植栽場所への移植を必要としない種子の提供を実現することを課題とし、更に差し込み自在な角度や部位を有する専用の栽培溶器の提供により、植物を必要とする角度や部位に本発明の種子形状を差し込む作業にて播種から植物の育成と共に形成される形状により平面、立面、斜面への緑化から壁面緑化、ハンギングバスケットとしての機能と用途の完成を実現可能とする栽培容器と差し込み可能な種子を提供する。
【０００８】
本発明の差込自在な部位を有する専用栽培容器は不織布や同等の素材であって排水性、通気性に優れた素材であり、壁面など容器と外部との接面部を防湿素材或いは防水材質で防湿し、その防湿或いは防水素材を底部に延長して貯水可能な層を形成して簡易な底面灌水部を有する栽培容器であることを特長とする。
【発明の効果】
【０００９】
本発明は園芸や家庭菜園において植物の種子が特に小粒の粒子の場合一袋に数十粒から百という単位で提供されている現状にあって、必要量を提供しながら簡易な播種を実現して植物の育成までの一連作業を本発明の種子形状によって完成する効果の提供を特長とする。この種子提供形状は単体での使用が可能である。またこの提供種子を専用の栽培容器に差し込むことで専用栽培容器の自在な差込口が形成は位置する角度や部位に播種し、その部位で育成した植物は平面、立面、斜面、壁面緑化、ハンギングバスケットとしての機能と用途を完成することを実現する効果を提供する。
【発明を実施するための最良の形態】
【００１０】
本発明の実施形態を図１から図５により説明する。実施形態の説明に当たり用いられる図中の用語や説明形状は、本発明を総括的に説明するための表現でありこれに限定されるものではない。
【００１１】
図１は本発明の種子提供形状の実施説明図である。本形態はスティック形状で実施したが、栽培用用土に差し込みが可能であり先端に種子を保持可能な形状であって吸水性、保水性に富む素材、材質であればこれに限定されるものではない。１は栽培用用土に差込み可能な形状を本実施形態がスティック形状とした本体で、その先端５は種子保持部であり、種子２を保持し吸水性、保水性、保湿性に富む覆土機能を有する材質や素材３で覆う実施例である。４は必要に応じて発根後の栄養素を提供する肥料保持部位を有する実施例である。
【００１２】
図２は図１の本体先端に種子２の保持部を１の本体に埋め込む形状の説明図である。３は図１の３同様に覆土機能を有する材質や素材で覆う実施例である。
【００１３】
図３は図１及び図２のスティック形状種子を６の栽培容器栽が提供する差込口７が形成する角度や部位により、自在にハンギングバスケット等の形状に完成可能な培容器である。６は不織布や同等の素材や材質で排水性、通気性に優れることを特長とする。６にはスティック形状種子を自在に差し込む差し込み口７を有し、１を７から用土８に差し込むことで播種から発芽、育成を完成可能とする差し込み口である。７は６の提供場所や必要とされる機能、用途に応じて角度や部位を自在に配置して保持可能である。７が形成する角度や部位、数量の配置により平面、立面、斜面、壁面緑化、ハンギングバスケットとしての機能と用途の提供を実現可能とする。９は必要に応じて本体６を掛ける、吊るす等の機能を付帯する場合の形状の一例である。
【００１４】
図４は図３のA―Aの断面図である。６は容器本体で１０は容器と接面部の防湿或いは防水素材を示す。この防湿或いは防水素材は更に底部に延長されて底部に貯水可能な層を形成して底面灌水部とする特長を持つ。底部灌水部は透水可能な材質、素材にて用土との接面を形成する形状或いは１１のような灌水素材を底部に配して底面灌水層を形成する場合など提供場所や必要な条件、提供する機能、使用用途により選択可能である特長をもつ。
【００１５】
図５はハンギングバスケット用に形成され配置された差し込み部位７を有する栽培容器にスティック形状種子１を差し込んで育成した植物１２がつくるハンギングバスケットの完成図である。７が形成する部位と角度により自在に平面、立面、斜面や壁面緑化、ハンギングバスケットの機能と用途、完成形状に播種から育成した一連の工程と植物の提供を実現可能とすることを現すものである。
【産業上の利用可能性】
【００１６】
必要量で簡易な播種と発芽後の移植を必要としない植物の育成を可能としたことを特長として、専用の差し込み自在な部位を有する栽培溶器の提供により、スティック形状種子を栽培用土部へ差し込むことにより播種から育成までの一連の工程を完成して、差し込み口を自在な角度と部位に配置することによって植物の育成仕立て形状を平面、立面、斜面使い、壁面緑化、ハンギングバスケットとして完成する機能や用途の提供を実現した。保存と携帯可能である本体は、直接地表や植物を必要とする部位、栽培用器に提供が自在で、最小提供数である本体１本に於いては１本分の差し込み可能な用土量或いは用土容器であれば屋外、室内を問わず自在な部位や角度、位置、場所へ植物の提供を実現する。大きさや規模を問わず植物の提供分野の拡大を可能とする。提供自在な機能、用途の実現を備える本発明は、業態や分野を超えた提供及び創造性の拡大とそれらの実現効果の拡大が期待され、園芸の分野を超えた市場や業態への提供を実現可能とするものである。
【図面の簡単な説明】
【００１７】
【図１】本発明のスティック形状種子の形状説明の一例図。
【図２】本発明のスティック形状種子の形状説明の一例図。
【図３】本発明の専用栽培容器の説明図。
【図４】図３の断面図。
【図５】専用栽培容器をハンギングバスケット用に配置した差し込み口が形成するハンギングバスケットの完成図。
【符号の説明】
【００１８】
１、           
スティック種子形状本体
２、           
種子
３、           
覆土機能を有する素材で作られた覆い部位
４、           
肥料保持部
５、           
種子の保持部
６、           
専用栽培容器
７、           
差し込み口
８、           
用土部
９、           
本体に必要に応じて掛ける、吊るす等の機能を付帯する場合の一例
１０、       
防湿或いは防水材質
１１、       
底面灌水層形成の一例で灌水材を底部へ提供する例。
１２、       
播種後育成した植物
【図１】
2009142232.tif 000003
【図２】
2009142232.tif 000004
【図３】
2009142232.tif 000005
【図４】
2009142232.tif 000006
【図５】
2009142232.tif 000007